(57)【要約】【課題】利用者の色弱の種別に応じて簡単かつ適切に色調の設定を行うことができる映像出力装置を提供することにある。【解決手段】出力される映像に関して予め色調を設定する色調設定手段と，前記色調設定手段により設定された色調に従って映像を出力する映像出力手段とを備えた映像出力装置であって，利用者の色弱の種別を判定する色弱種別判定手段を備えてなり，前記色調設定手段が，前記色弱種別判定手段の判定結果に基づいて色調を設定することを特徴とする映像出力装置として構成されている。【選択図】図４
2007190113.tif 000002
【特許請求の範囲】
【請求項１】
出力される映像に関して予め色調を設定する色調設定手段と，前記色調設定手段により設定された色調に従って映像を出力する映像出力手段とを備えた映像出力装置であって，
利用者の色弱の種別を判定する色弱種別判定手段を備えてなり，
前記色調設定手段が，前記色弱種別判定手段の判定結果に基づいて色調を設定することを特徴とする映像出力装置。
【請求項２】
色弱の種別によって見え方の異なる複数のテスト映像を出力するテスト映像出力手段と，
前記テスト映像出力手段から出力されるテスト映像に関する質問を出力する質問出力手段と，
前記質問出力手段により出力された質問に対する回答を入力するための回答入力手段とを具備し，
前記色弱種別判定手段が，前記回答入力手段により入力された回答に基づいて色弱の種別を判定するものである請求項１に記載の映像出力装置。
【請求項３】
前記回答入力手段による回答の入力が，前記テスト映像出力手段により出力されたテスト映像を選択することである請求項２に記載の映像出力装置。
【請求項４】
前記テスト映像出力手段が，少なくとも赤，緑，青の色ごとにテスト映像を出力するものである請求項２又は３のいずれかに記載の映像出力装置。
【請求項５】
色弱の種別と色調の設定情報とを対応づけて記憶する記憶手段を具備し，
前記色調設定手段が，前記色弱種別判定手段により判定された色弱の種別から前記記憶手段に予め記憶された色弱の種別と対応づけられた色調の設定情報を決定し，決定された設定情報に基づいて色調を設定するものである請求項１〜４のいずれかに記載の映像出力装置。
【発明の詳細な説明】
【技術分野】
【０００１】
本発明は，映像出力装置に関し，特に，色調の設定に関するものである。
【背景技術】
【０００２】
従来の一般的な映像出力装置は，利用者が手動でボタンなどを操作することによって，出力される映像の色調を設定する機能を備えている。
また，特許文献１に記載のホワイトバランス自動調整装置は，各色のテストパターンを表示するとともに，そのテストパターンの輝度や色調を検出し，その検出値が予め定められた設定値になるように理論演算が行われることにより，赤青緑の各色の調整量が決定され，決定された調整量に基づく色調の設定が自動で行われる装置である。
【特許文献１】特開２００５−５７６４７号公報
【発明の開示】
【発明が解決しようとする課題】
【０００３】
しかしながら，従来の一般的な映像出力装置は，異なる色調設定の複数のテスト映像を選択して出力される映像の色調を設定するのではなく，利用者が手動で操作部に備えられたボタンなどを操作して出力される映像の色みの度合いを色ごとに指示することにより色調の設定が変更されていた。そのため，色弱者にとっては，判定しにくい色に関する色調の設定が困難であるという問題があった。
一方，特許文献１に記載のホワイトバランス自動調整装置では，健常者にとって見やすいとされる色調の値が，テストパターンの色調の設定値（色調自動設定の基準値）として予め設定されている。このため，利用者が色弱者である場合に，出力される映像の色調を各利用者の色弱の種別に応じて設定することができないという問題があった。
従って，本発明は前記事情に鑑みてなされたものであり，その目的とするところは，利用者の色弱の種別に応じて簡単かつ適切に色調の設定を行うことができる映像出力装置を提供することにある。
【課題を解決するための手段】
【０００４】
前記目的を達成するために本発明は，出力される映像に関して予め色調を設定する色調設定手段と，前記色調設定手段により設定された色調に従って映像を出力する映像出力手段とを備えた映像出力装置であって，利用者の色弱の種別を判定する色弱種別判定手段を備えてなり，前記色調設定手段が，前記色弱種別判定手段の判定結果に基づいて色調を設定することを特徴とする映像出力装置として構成されている。
また，色弱の種別によって見え方の異なる複数のテスト映像を出力するテスト映像出力手段と，前記テスト映像出力手段から出力されるテスト映像に関する質問を出力する質問出力手段と，前記質問出力手段により出力された質問に対する回答を入力するための回答入力手段とを具備し，前記色弱種別判定手段が，前記回答入力手段により入力された回答に基づいて色弱の種別を判定することが好ましい。
このように，色弱の種別によって見え方の異なる複数のテスト映像と，該テスト映像に関する質問とが出力されることにより，出力されたテスト映像と質問に対して，利用者が前記回答入力手段より回答することによって，簡単に色弱の種別がわかるので，色弱の種別に応じて簡単かつ適切に色調の設定を行うことができる。
また，前記回答入力手段による回答の入力が，前記テスト映像出力手段により出力されたテスト映像を選択することが好ましい。
このような構成であれば，利用者は，表示されたテスト映像のうち見やすい映像を選択するだけで，利用者に応じて出力される映像の色調の設定が自動で行われるので，従来映像出力装置のように手動で設定するよりは，はるかに操作が簡単である。
前記テスト映像出力手段が，少なくとも赤，緑，青の色ごとにテスト映像を出力することが考えられる。
赤，緑，青の色ごとにテスト映像が出力されれば，どの色の色弱であるかが簡単にわかる。また，赤・緑・青の各色の色弱情報と所定の表示手段に表示される３原色（Ｒ，Ｇ，Ｂ）各々とを１対１に対応付けた簡易な色調調節が可能となる。
また，色弱の種別と色調の設定情報とを対応付けて記憶する記憶手段を具備し，前記色調設定手段が，前記色弱種別判定手段により判定された色弱の種別から前記記憶手段に予め記憶された色弱の種別と対応付けられた色調の設定情報を決定し，決定された設定情報に基づいて色調を設定することが好ましい。
予め色弱の種別と色調の設定情報とを対応付けて記憶しておけば，色弱の種別が判定されるごとに設定情報を計算する必要がなく，予め記憶された色弱の種別と対応付けられた色調の設定情報を決定するだけで，決定された設定情報に基づいて色調が自動で設定されるので，処理が簡素化される。
【発明の効果】
【０００５】
本発明によれば，色弱の種別に応じて簡単かつ適切に色調の設定を行うことができる映像出力装置を提供することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る映像出力装置Ｘの概略構成を示すブロック図，図２は本発明の実施の形態に係る映像出力装置Ｘに表示される赤の色弱判定のテスト映像及び質問の模式図，図３は本発明の実施の形態に係る映像出力装置Ｘに赤の色弱判定のテスト映像及び質問が表示されたときに利用者が見える字を強調したテスト映像の模式図，図４は本発明の実施の形態に係る映像出力装置Ｘの制御部１により実行される色調設定処理の手順についてその一例を説明するためのフローチャート，図５はホワイトバランスの設定を示すグラフ図，図６は色弱の種別と色調の設定情報とを対応付けた表である。
【０００７】
まず，図１のブロック図を用いて，本発明の実施の形態に係る映像出力装置Ｘの概略構成について説明する。
前記映像出力装置Ｘは，図１に示すように，映像を表示するモニタである表示部２と，各種情報を記憶する記憶手段である記憶部３と，各種の入力操作を行うことができる操作入力部４と，これらを統括的に制御する制御部１とを備えて構成されている。
前記表示部２は，前記記憶部３に記憶されている映像や不図示の外部端子から入力される映像が表示されるモニタである。前記表示部２には，前記記憶部３に記憶されている後記の色調設定値Ｃに従って色みが調整された映像が表示される。前記表示部２は，映像出力手段の一例である。
なお，ここでは，前記映像出力装置Ｘに表示部２が具備されている例を説明するが，外部に接続されている表示手段に映像を出力する場合もある。
前記記憶部３は，後述する色調設定値Ｃ，テスト映像，そのテスト映像に関する質問，色弱の種別と色調の設定情報などの各種のデータや，前記制御部１が備える演算手段によって実行されるプログラム等を記憶する記憶手段である。この記憶部３は，例えばハードディスクやフラッシュメモリ等により構成される。
ここで，前記色調設定値Ｃは，色ごとに色みの度合いを示す値である。前記制御部１は，前記記憶部３に記憶された現在の色調設定値Ｃに従って色みを色ごとに強めたり弱めたりする。そして，前記制御部１により，色みを調整された映像が出力される。
前記テスト映像は，色弱の種別によって見え方の異なる赤，緑，青の色ごとの映像である。
前記色弱の種別と色調の設定情報は，例えば図６のように対応付けられて，前記記憶部３に記憶されている。以下，この記憶部３に予め記憶された図６に示されるような情報，即ち，前記色弱の種別と色調の設定情報とが対応付けられた情報を，色弱種別・色調設定対応情報という。
前記記憶部３は，予め色弱の種別と色調の設定情報とを対応付けて記憶する記憶手段の一例に相当する。
前記操作入力部４は，利用者によって操作される情報入力手段であり，操作ボタンや，液晶タッチパネル等により構成されている。
前記操作ボタンには，例えば，利用者によって押下されることにより前記表示部２にメニューを表示するメニューボタン，前記メニューに表示された処理を選択するための左右ボタンなどが含まれる。前記操作入力部４は，前記表示部２の近傍に設けられていてもよいし，前記映像出力装置Ｘを遠隔で操作するリモートコントローラ（いわゆるリモコン）に設けられていてもよいし，両方に設けられていてもかまわない。
【０００８】
続いて，図４のフローチャートを用いて，本発明の実施の形態に係る映像出力装置Ｘの制御部１により実行される色調設定処理の手順についてその一例を説明する。
ここで，図４に示す処理は，前記制御部１が，前記操作入力部４に対して所定の色調設定開始操作（例えば，前記操作入力部４に設けられたメニューボタンや選択ボタンに対する予め定められた操作）がなされたことを検知した場合に開始するものとする。
なお，図中のＳ１０，Ｓ２０…は処理手順（ステップ）番号を示し，処理はステップＳ１０より開始される。
まず，ステップＳ１０では，利用者が赤の色弱者であるか否かを判定するために，前記制御部１により，赤色の色弱判定用の複数のテスト映像とそのテスト映像に関する質問とが前記表示部２に表示され，処理はステップＳ２０に移行される。図２は，このステップＳ１０で表示部２に表示される映像の一例である。ここで，赤色用の前記テスト映像は，それを見る者が，赤色の色弱者であるか否かによって見え方が異なる映像である。具体的には，図２（１）に示すあるテスト映像は，赤の色弱でない者には数字の６が明瞭に見え，赤の色弱者には数字の５が明瞭に見える映像の例であり，図２（２）に示す他のテスト映像は，赤の色弱でない者には数字が明瞭に見えず，赤の色弱者には数字の６が明瞭に見える映像の例である。すなわち，ステップＳ１０で表示される映像は図２に示すとおりであるが，赤の色弱でない者には図３（ａ）の模式図に示すように見え，色弱者には図３（ｂ）の模式図に示すように見える。前記テスト映像に関する質問は，「数字の６に見える（見やすい）方を選んでください。（１）は左，（２）は右ボタンを押してください。」などとする。
ここで，前記テスト映像を前記記憶部３から読み出して前記表示部２に出力する（表示させる）処理を行う前記制御部１が，テスト映像出力手段の一例である。また，出力されたテスト映像に関する質問を前記記憶部３から読み出して前記表示部２に出力する（表示させる）処理を行う制御部１が，質問出力手段の一例である。
なお，ここでは，見る者が色弱者か否かによって特定の文字（数字の６）が明瞭に見えるか否かが異なるテスト映像を例に挙げたが，これに限るものではない。例えば，見る者が色弱者か否かによって文字以外の特定の記録情報（記号，図形，模様等）が明瞭に見えるか否かが異なる映像をテスト映像とすることも考えられる。また，ここでは，２つのテスト映像を表示して数字が見えるほうを選択させるが，例えば，前記図２（１）のテスト映像と，「見える数字を入力してください」という質問を表示して，明瞭に見える記録情報（数字等）を前記操作入力部４で入力させ，入力された回答に基づいて色弱者であるか否か，或いは色弱の程度等（色弱の種別の一例）を判定してもよい。
【０００９】
ステップＳ２０では，前記制御部１が前記操作入力部４を制御することにより，前記ステップＳ１０で前記表示部２に表示された質問に対する利用者の回答の入力処理及びその入力内容の判定処理が行われる。具体的には，利用者が前記操作入力部４に設けられた左右ボタンのうちのいずれが押下されたかが判定され，これによって２つのテスト映像（図２参照）のいずれが選択されたかが判定される。このように，前記表示部２に表示された複数のテスト映像からいずれかを選択することが，前記表示部２に表示された質問に対する回答を入力することになる。なお，前記操作入力部４は，回答入力手段の一例に相当する。
ステップＳ２０において，前記制御部１により，図２（２）のテスト映像が選択されたと判定された場合，すなわち，利用者は赤の色弱であると判定された場合（ステップＳ２０のＹｅｓ側），処理はステップＳ３０に移行される。一方，前記制御部１により，図２（１）のテスト映像が選択されたと判定された場合，すなわち，利用者は赤の色弱ではないと判定された場合（ステップＳ２０のＮｏ側），処理はステップＳ３１に移行される。
このように，利用者が前記表示部２に表示されたテスト映像と質問に対する回答を入力するというごく簡単な操作を行うだけで，その利用者が特定の色（ここでは赤色）の色弱であるか否か（色弱の種別の一例）が，前記制御部１によって判定される。
なお，前記表示部２に表示されたテスト映像及び質問に対して前記操作入力部４から入力された回答により色弱の種別を判定する処理を行う前記制御部１が，色弱種別判定手段の一例である。
【００１０】
ステップＳ３０及びステップＳ３１では，前記制御部１により，前記ステップＳ２０で判定された結果が前記記憶部３に記憶され，その後，処理がステップＳ４０に移行される。即ち，ステップＳ３０では，赤の色弱である旨を表す情報（赤△）が記憶され，ステップＳ３１では，赤の色弱でない旨を表す情報（赤○）が記憶される。
【００１１】
ステップＳ４０では，ステップＳ１０同様，利用者が緑の色弱者であるか否かを判定するために，前記制御部１により，緑色の色弱判定用の複数のテスト映像とそのテスト映像に関する質問とが前記表示部２に表示され，処理はステップＳ５０に移行する。具体的には，前記緑色の色弱判定用のテスト映像の一例として，ここでは，図２（１）に示す赤色の色弱を判定するテスト映像同様緑の色弱でない者には数字の６が明瞭に見え，緑の色弱者には数字の５が明瞭に見える映像Ｇ１と，図２（２）に示す赤色の色弱を判定するテスト映像同様緑の色弱でない者には数字が明瞭に見えず，緑の色弱者には数字の６が明瞭に見える映像Ｇ２を用いる。
ステップＳ５０では，前記制御部１が前記操作入力部４を制御することにより，前記ステップＳ４０で前記表示部２に表示された質問に対する利用者の回答の入力処理及びその入力内容の判定処理が行われる。具体的には，利用者が前記操作入力部４に設けられた左右ボタンのうちのいずれが押下されたかが判定され，これによって２つのテスト映像（前記映像Ｇ１，Ｇ２）のいずれが選択されたかが判定される。このように，前記表示部２に表示された複数のテスト映像からいずれかを選択することが，前記表示部２に表示された質問に対する回答を入力することになる。
ステップＳ５０において，前記制御部１により，前記映像Ｇ２のテスト映像が選択されたと判定された場合，すなわち，利用者は緑の色弱であると判定された場合（ステップＳ５０のＹｅｓ側），処理はステップＳ６０に移行される。一方，前記制御部１により，前記映像Ｇ１のテスト映像が選択されたと判定された場合，すなわち，利用者は緑の色弱ではないと判定された場合（ステップＳ５０のＮｏ側），処理はステップＳ６１に移行される。
【００１２】
ステップＳ６０及びステップＳ６１では，前記制御部１により，前記ステップＳ５０で判定された結果が前記記憶部３に記憶され，その後，処理がステップＳ７０に移行される。即ち，ステップＳ６０では，緑の色弱である旨を表す情報（緑△）が記憶され，ステップＳ６１では，緑の色弱でない旨を表す情報（緑○）が記憶される。
【００１３】
ステップＳ７０では，ステップＳ１０同様，利用者が青の色弱者であるか否かを判定するために，前記制御部１により，青色の色弱判定用の複数のテスト映像とそのテスト映像に関する質問とが前記表示部２に表示され，処理はステップＳ８０に移行する。具体的には，前記青色の色弱判定用のテスト映像の一例として，ここでは，図２（１）に示す赤色の色弱を判定するテスト映像同様青の色弱でない者には数字の６が明瞭に見え，青の色弱者には数字の５が明瞭に見える映像Ｂ１と，図２（２）に示す赤色の色弱を判定するテスト映像同様青の色弱でない者には数字が明瞭に見えず，青の色弱者には数字の６が明瞭に見える映像Ｂ２を用いる。
ステップＳ８０では，前記制御部１が前記操作入力部４を制御することにより，前記ステップＳ７０で前記表示部２に表示された質問に対する利用者の回答の入力処理及びその入力内容の判定処理が行われる。具体的には，利用者が前記操作入力部４に設けられた左右ボタンのうちのいずれが押下されたかが判定され，これによって２つのテスト映像（前記映像Ｂ１，Ｂ２）のいずれが選択されたかが判定される。このように，前記表示部２に表示された複数のテスト映像からいずれかを選択することが，前記表示部２に表示された質問に対する回答を入力することになる。
ステップＳ８０において，前記制御部１により，前記映像Ｂ２のテスト映像が選択されたと判定された場合，すなわち，利用者は青の色弱であると判定された場合（ステップＳ８０のＹｅｓ側），処理はステップＳ９０に移行される。一方，前記制御部１により，前記映像Ｂ１のテスト映像が選択されたと判定された場合，すなわち，利用者は青の色弱ではないと判定された場合（ステップＳ８０のＮｏ側），処理はステップＳ９１に移行される。
【００１４】
ステップＳ９０及びステップＳ９１では，前記制御部１により，前記ステップＳ８０で判定された結果が前記記憶部３に記憶され，その後，処理がステップＳ１００に移行される。即ち，ステップＳ９０では，青の色弱である旨を表す情報（青△）が記憶され，ステップＳ９１では，青の色弱でない旨を表す情報（青○）が記憶される。
ここで，前記ステップＳ３０又はＳ３１の処理で記憶された赤の色弱か否かを表す情報と，前記ステップＳ６０又はＳ６１の処理で記憶された緑の色弱か否かを表す情報と，前記ステップＳ９０又はＳ９１の処理で記憶された青の色弱か否かを表す情報との組み合わせが，色弱の種別の一例である。
このように，前記制御部１によって実行される前記ステップＳ１０，Ｓ４０，Ｓ７０の処理により，少なくとも赤，緑，青の色ごとにテスト映像が前記表示部２に出力（表示）される。これにより，赤・緑・青の各色の色弱情報と前記表示部２により表示される３原色（Ｒ，Ｇ，Ｂ）各々とを１対１に対応付けた簡易な色調調節が可能となる。
【００１５】
ステップＳ１００では，前記制御部１により，前記ステップＳ３０，Ｓ３１，Ｓ６０，Ｓ６１，Ｓ９０，Ｓ９１で記憶された色弱の種別と前記記憶部３に予め記憶されている前記色弱種別・色調設定対応情報（図６）を照合して，色調設定情報が決定される。具体的には，図６の赤の結果１０ａが，前記ステップＳ３０又はＳ３１で記憶された赤の色弱か否かを表す情報と同じ情報であり，図６の緑の結果１０ｂが，前記ステップＳ６０又はＳ６１で記憶された緑の色弱か否かを表す情報と同じ情報であり，図６の青の結果１０ｃが，前記ステップＳ９０又はＳ９１で記憶された青の色弱か否かを表す情報と同じ情報である組み合わせの色弱種別１０と対応付けられた設定情報２０が決定される。
このように，予め色弱の種別と色調の設定情報とを対応付けて記憶しておけば，色弱の種別が判定されるごとに設定情報を計算する必要がなく，予め記憶された記憶された色弱の種別と対応付けられた色調の設定情報を決定するだけで，決定された設定情報に基づいて色調が自動で設定されるので，処理が簡素化される。
前記決定された設定情報２０には，強める設定２０ａと弱める設定２０ｂとが含まれている。前記決定された設定情報に基づく具体的な設定値を，補正色調設定値Ｃ１とする。例えば判定された色弱の種別が，ステップＳ３０で赤△，ステップＳ６１で緑○，ステップＳ９１で青○と前記記憶部３に記憶されていれば，図６の１０ａが△，１０ｂが○，１０ｃが○である色弱情報と対応付けられた強める設定２０ａが赤，弱める設定２０ｂが緑，青である設定情報２０となる。この場合，前記補正色調設定値Ｃ１は，赤を強め，緑，青を弱める度合いの値である。前記補正色調設定値Ｃ１が，前記記憶部３に予め記憶されている現在の色調設定値Ｃと同じであれば，色調の設定は変更しないので，（ステップＳ１００のＮｏ側），処理は終了する。
前記補正色調設定値Ｃ１が，現在の色調設定値Ｃと異なれば（ステップＳ１００のＹｅｓ側），処理はステップＳ１１０に移行する。
【００１６】
ステップＳ１１０では，前記制御部１により，色調の設定変更を実行するか否か，すなわち，現在の色調設定値Ｃを前記ステップＳ１００の処理で決定された前記補正色調設定値Ｃ１に変更するか否かの確認処理が実行される。
具体的には，前記制御部１により，前記補正色調設定値Ｃ１に従って色調が調節された映像（色弱の種別の判定結果が反映された映像）と，現在の色調設定値Ｃに従って色調が調節された映像（色弱の種別の判定結果が反映されていない映像）とが並べられた映像（以下，色調調節前後の映像という）が，前記表示部２を通じて表示される。さらに，前記色調調節前後の映像と併せて，色調の設定変更を実行するか否かを確認するための質問も，前記表示部２を通じて表示される。例えば，この確認用の質問は，「左側が色調設定変更後の映像，右側が色調設定変更前の映像です。色調の設定を変更しますか？変更するなら左ボタンを，変更しないなら右ボタンを押してください。」などとする。
ここで，前記制御部１により，質問に対する回答の入力内容が判定され，色調の設定を変更する旨の回答が入力されたと判定されれば（ステップＳ１１０のＹｅｓ側），処理がステップＳ１２０に移行され，色調の設定を変更しない旨の回答が入力されたと判定されれば（ステップＳ１１０のＮｏ側），処理は終了する。
【００１７】
ステップＳ１２０では，前記制御部１により，前記記憶部３に記憶されている現在の色調設定値Ｃが，ステップＳ１００で決定された前記補正色調設定値Ｃ１に変更される。そして，以後，変更された色調設定値に従って色調が調節された映像が前記表示部２に出力（表示）される。
前記色調設定値を変更するとは，具体的には，各色の映像信号の出力値（出力レベル）の基準となるホワイトバランス値（真っ白を表示するときのＲ，Ｇ，Ｂ各色のレベル）を変更するということである。ホワイトバランス値は，例えば，図５における環状の線で囲んだ部分の中心位置に対応するＲ，Ｇ，Ｂ各々のレベルである。
なお，前記制御部１により，ステップＳ１００で決定された色調の設定に変更されるステップＳ１２０の処理が，本発明の「色調設定手段が，色弱種別判定手段の判定結果に基づいて色調を設定する」処理の一例に相当する。
また，前記制御部１により，前記記憶部３に予め記憶されている前記色弱種別・色調設定対応情報に基づいて色調の設定情報が決定されるステップＳ１００の処理が，本発明の「色調設定手段が，色弱種別判定手段により判定された色弱の種別から記憶手段に予め記憶された色弱の種別と対応付けられた色調の設定情報を決定」する処理の一例に相当する。
また，前記制御部１により，前記記憶部３に記憶されている現在の色調設定値ＣがステップＳ１００で決定された前記補正色調設定値Ｃ１に変更されるステップＳ１２０の処理が，本発明の「決定された設定情報に基づいて色調を設定する」処理の一例に相当する。
このように，色弱の種別に応じて簡単かつ適切に色調の設定を行うことができる。
【００１８】
前述した実施形態では，見る者が色弱者か否かによって特定の記録情報（数字）が明瞭に見えるか否かが異なるテスト映像を表示し，これに対する利用者の回答に基づいて色弱の種別を判定する例について示したが，色弱の種別判定の方法としては，以下に示すような他の方法も考えられる。
例えば，まず，制御部１により，各々色調（ホワイトバランス）のみが異なる複数のテスト映像（色調以外の映像内容は同じ）を表示部２に並べて表示，或いは順次表示させるとともに，その複数のテスト映像の中から，利用者が最も明瞭に認識できる映像を利用者の操作入力に従って選択する。そして，その選択結果に基づいて色弱の種別を判定することも考えられる。このようなテスト映像も，見る者が色弱か否か，或いは色弱の程度によって見え方が異なる映像である。
また，前述した実施形態における前記色弱種別・色調設定対応情報は，色弱の種別と色調の設定とが１対１で対応付けられた情報であった。しかし，これに限らず，色弱の種別ごとに，１又は複数の色調の設定が対応付けられた色弱種別・色調設定対応情報を採用することも考えられる。
この場合，制御部１による前述したステップＳ１１０の処理において，前記補正色調設定値Ｃ１に従って色調が調節された複数の映像を表示部２に出力し，最も利用者が明瞭に見える映像を利用者の操作入力に従って選択し，その選択された映像の色調を新たな色調として設定すればよい。このような処理を行うことも，本発明の実施形態の一例である。
【図面の簡単な説明】
【００１９】
【図１】本発明の実施の形態に係る映像出力装置Ｘの概略構成を示すブロック図。
【図２】本発明の実施の形態に係る映像出力装置Ｘに表示される赤の色弱判定のテスト映像及び質問の模式図。
【図３】本発明の実施の形態に係る映像出力装置Ｘに赤の色弱判定のテスト映像及び質問が表示されたときに利用者が見える字を強調したテスト映像の模式図。
【図４】本発明の実施の形態に係る映像出力装置Ｘの制御部１により実行される色調設定処理の手順についてその一例を説明するためのフローチャート。
【図５】ホワイトバランスの設定を示すグラフ図。
【図６】色弱の種別と色調の設定情報とを対応付けた表。
【符号の説明】
【００２０】
１…制御部
２…表示部
３…記憶部
４…操作入力部
１０…色弱の種別
２０…色調設定情報
【図１】
2007190113.tif 000003
【図２】
2007190113.tif 000004
【図３】
2007190113.tif 000005
【図４】
2007190113.tif 000006
【図５】
2007190113.tif 000007
【図６】
2007190113.tif 000008